(57)【要約】【課題】回路遮断器内に形成されるガス圧を分散させる。【解決手段】アークシュートアセンブリ（２０）は、第１の壁（３８）、第２の壁（４４）、及び第１の壁に連結された１対の側壁（４０、４２）を有する筐体（２８）であって、壁がアーク領域（３４）を形成するように構成され、筐体が側壁間で第１の壁に連結された隔壁（５０）をさらに有し、隔壁が第１のサブアーク領域（７２）、第２のサブアーク領域（７４）、及びアーク板領域を形成するように構成され、第１のサブアーク領域及び第２のサブアーク領域がアーク板領域と流れ連通するように構成された、筐体（２８）と、第１の壁及び側壁に連結された支持部（３２）と、支持部に連結されたアーク板（３０）であって、アーク板が側壁間で且つ隔壁の上方に広がる本体部（８２）を有する、アーク板（３０）とを含む。【選択図】図１
2013149619.tif 000002
【特許請求の範囲】
【請求項１】
第１の壁（３８）、第２の壁（４４）、及び前記第１の壁に連結された１対の側壁（４０、４２）を有する筐体（２８）であって、前記壁がアーク領域（３４）を形成するように構成され、前記筐体が前記側壁間で前記第１の壁に連結された隔壁（５０）をさらに有し、前記隔壁が第１のサブアーク領域（７２）、第２のサブアーク領域（７４）、及びアーク板領域（７６）を形成するように構成され、前記第１のサブアーク領域及び前記第２のサブアーク領域が前記アーク板領域と流れ連通するように構成された、筐体（２８）と、
前記第１の壁及び前記側壁に連結された支持部（３２）と、
前記支持部に連結されたアーク板（３０）であって、前記アーク板が前記側壁間で且つ前記隔壁の上方に広がる本体部（８２）を有する、アーク板（３０）と
を備えたアークシュートアセンブリ（２０）。
【請求項２】
前記アーク板（３０）が、前記第１のサブアーク領域（７２）及び前記第２のサブアーク領域（７４）の上方に配置される、請求項１記載のアークシュートアセンブリ（２０）。
【請求項３】
前記アーク板（３０）が、前記第１のサブアーク領域（７２）の上方に配置された第１の凹部（８４）を含む、請求項１記載のアークシュートアセンブリ（２０）。
【請求項４】
前記アーク板（３０）が、前記第２のサブアーク領域（７４）の上方に配置された第２の凹部（８６）を含む、請求項１記載のアークシュートアセンブリ（２０）。
【請求項５】
前記アーク板（３０）が、前記隔壁（５０）に隣接した第３の凹部（８８）を含む、請求項１記載のアークシュートアセンブリ（２０）。
【請求項６】
前記隔壁（５０）が、前記側壁（４０、４２）のうちの少なくとも一方の高さよりも低い高さを有する、請求項１記載のアークシュートアセンブリ（２０）。
【請求項７】
前記アーク板領域（７６）が、前記側壁（４０、４２、４６、４８）間に広がる幅を有する、請求項１記載のアークシュートアセンブリ（２０）。
【請求項８】
前記第１のサブアーク領域（７２）及び前記第２のサブアーク領域（７４）が、前記アーク板領域（７６）の前記幅よりも狭い幅を各々有する、請求項７記載のアークシュートアセンブリ（２０）。
【請求項９】
前記第１のサブアーク領域（７２）及び前記第２のサブアーク領域（７４）が実質的に同じサイズである、請求項１記載のアークシュートアセンブリ（２０）。
【請求項１０】
第１の壁（３８）、第２の壁（４４）、及び前記第１の壁に連結された１対の側壁（４０、４２）を有する筐体（２８）であって、前記第１の壁及び前記側壁がアーク領域（３４）を形成するように構成され、前記筐体が前記側壁間で前記第１の壁に連結された隔壁（５０）をさらに有し、前記隔壁が第１のサブアーク領域（７２）、第２のサブアーク領域（７４）、及びアーク板領域（７６）を形成するように構成され、前記第１のサブアーク領域及び前記第２のサブアーク領域が前記アーク板領域と流れ連通するように構成された、筐体（２８）と、
前記第１の壁及び前記側壁に連結された支持部（３２）と、
前記支持部に連結されたアーク板（３０）であって、前記アーク板が前記側壁間で且つ前記隔壁の上方に広がる本体部（８２）を有する、アーク板（３０）と、
前記筐体に連結され且つ前記第１のサブアーク領域内に連結された第１のサブポール（２２）及び前記第２のサブアーク領域内に連結された第２のサブポール（２４）を有する回路遮断器（１４）と
を備えた、電力分配システム（１０）。
【発明の詳細な説明】
【技術分野】
【０００１】
本明細書において説明する実施形態は、全体として回路遮断器用のアークシュートアセンブリに関係し、より詳しくは、回路遮断器内に形成されるガス圧を分散させるために使用する方法及びシステムに関する。
【背景技術】
【０００２】
電流遮断用の回路遮断器の能力は、遮断器接点が開くときに発生するアークを消滅させる能力にある程度は依存することがある。接点が離れたとしても、接点及び周囲の材料の蒸発によって形成されるイオン化したガスを介して、電流は流れ続けることがある。回路遮断器は、効果的な電流遮断を容易にするために、アークを適切且つ効率的に冷却する必要がある。回路遮断器は、アークシュート内に設置されたサブポール（ｓｕｂ−ｐｏｌｅ）を含む。アークシュートは、遮断器が始動し、遮断器の接点が急に開くときに発生するアークを消滅させるように構成される。典型的には、各アークシュートは、単相、例えば、３相電力分配システムの１相に結び付けられる。
【０００３】
従来のアークシュートは、ある間隔を空けた関係で構成され、誘電体側面パネルによって所定の位置に保持された一連の金属板を含む。遮断器の接点が開くときに、結果として生じるアークは、アークシュートの金属板へと追い込まれ、そこではアークが板によってその後消滅する。金属板は、電流制限効果を生じさせるために回路遮断器内のアーク電圧を高くし、これによって下流側を保護する。
【先行技術文献】
【特許文献】
【０００４】
【特許文献１】米国特許第６４２０９４８号公報
【発明の概要】
【発明が解決しようとする課題】
【０００５】
回路遮断器の電流経路用の各サブポールは、アークシュートを含む。サブポールは、電気的に並列に接続され、回路遮断器内部で隔壁によって分離される。構成部品のばらつきに起因して、遮断器が始動したときに、１つのサブポールが他のサブポールよりも高い圧力を受けることがある。電流遮断中に発生するガスの体積が増加し、アークを消滅させる際に電流の流れ支援を高めると同時に、増加したガスの体積は、サブポール内の、これゆえアークシュート上及び回路遮断器筐体内の圧力を増加させる。あるケースでは、高い圧力に曝されたサブポールが、筐体壁及びアークシュートに損傷を与えることがあり、これが回路遮断器の電流遮断能力を制限することがある。
【課題を解決するための手段】
【０００６】
一態様では、アークシュートアセンブリが提供される。アークシュートアセンブリは、第１の壁、第２の壁、及び第１の壁に連結された１対の側壁を有する筐体を備える。壁は、アーク領域を形成するように構成される。筐体は、側壁間で第１の壁に連結された隔壁をさらに有する。隔壁は、第１のサブアーク領域、第２のサブアーク領域、及びアーク板領域を形成するように構成される。第１のサブアーク領域及び第２のサブアーク領域は、アーク板領域と流れ連通するように構成される。アークシュートアセンブリは、第１の壁及び側壁に連結された支持部と、支持部に連結されたアーク板とをさらに備える。アーク板は、側壁間で且つ隔壁の上方に広がる本体部を有する。
【０００７】
別の一態様では、電力分配システムを提供する。電力分配システムは、第１の壁、第２の壁、及び第１の壁に連結された１対の側壁を有する筐体を備える。第１の壁及び側壁は、アーク領域を形成するように構成される。筐体は、側壁間で第１の壁に連結された隔壁をさらに有する。隔壁は、第１のサブアーク領域、第２のサブアーク領域、及びアーク板領域を形成するように構成される。第１のサブアーク領域及び第２のサブアーク領域は、アーク板領域と流れ連通するように構成される。電力分配システムは、第１の壁及び側壁に連結された支持部と、支持部に連結されたアーク板とをさらに備える。アーク板は、側壁間で且つ隔壁の上方に広がる本体部を有する。電力分配システムは、筐体に連結され且つ第１のサブアーク領域内に連結された第１のサブポール及び第２のサブアーク領域内に連結された第２のサブポールを有する回路遮断器をやはり備える。
【０００８】
さらなる態様では、アークシュートアセンブリを製造する方法が提供される。本方法は、第１の壁、第２の壁、及び第１の壁に連結された１対の側壁を有する筐体を形成するステップを含む。壁は、アーク領域を形成するように構成される。本方法は、側壁間に隔壁を配置するステップをさらに含む。隔壁は、筐体内に第１のサブアーク領域、第２のサブアーク領域、及びアーク板領域を形成するように構成される。本方法は、アーク板を筐体に連結するステップをさらに含む。アーク板は、側壁間で且つ隔壁の上方に広がる本体部を有する。
【図面の簡単な説明】
【０００９】
【図１】回路遮断器の模式的ブロック図である。
【図２】図１に示した回路遮断器で使用する筐体アセンブリの上面斜視図である。
【図３】図１に示した回路遮断器で使用する筐体の一部の前面斜視図である。
【図４】例示的なアーク板の前面図である。
【図５】図４に示したアーク板に連結された支持部の前面斜視図である。
【図６】図３に示した筐体に連結された支持部及びアーク板の前面斜視図である。
【図７】複数の回路遮断器及びアークシュートアセンブリの前面斜視図である。
【図８】アークシュートアセンブリを製造する方法を説明する例示的な流れ図である。
【発明を実施するための形態】
【００１０】
図１は、電源１２、回路遮断器１４、及び電力負荷１６を含む電力分配システム１０の模式的ブロック図を示す。電源１２は、入力電力電線路などの電線路を含むが、これに限定されない。電力負荷１６は、電気装置又は回路などの出力部を含むが、これらに限定されない。回路遮断器１４は、接点アセンブリ１８及びアークシュートアセンブリ２０を含む。一実施形態では、回路遮断器１４は、第１のサブポール２２及び第２のサブポール２４を含む。各サブポール２２及び２４は、可動接点２６を有する。アークシュートアセンブリ２０は、筐体２８、アーク板３０、及び支持部３２を含む。アークシュートアセンブリ２０は、過電流負荷条件下で遮断器接点２６が開くときに形成されるガス圧を分散させることを容易にするように構成される。アークシュートアセンブリ２０は、また、過電流負荷条件中に遮断器接点２６が開くときに形成される電気的アークを消すことを容易にするように構成される。
【００１１】
図２は、図１に示した回路遮断器で使用される筐体アセンブリ３３の上面斜視図を示す。筐体アセンブリ３３は、第１の筐体２８及び第２の筐体３６によって形成される３つのアーク室、すなわちアーク領域３４を含む。第１の筐体２８は、第１の壁３８及び第１の壁に連結され且つ第１の壁から延伸する１対の側壁４０、４２を含む。第２の筐体３６は、第２の壁４４及び第２の壁から延伸する１対の側壁４６、４８を含む。第１の筐体側壁４０、４２がそれぞれ第２の筐体側壁４６、４８と接触するように、第１の筐体２８を第２の筐体３６に接続する。
【００１２】
図３は、電力分配システム１０（図１に示す）で使用される第１の筐体２８の前面斜視図を示す。第１の筐体２８は、過電流負荷条件中に回路遮断器接点２６（図１に示す）が開くときに発生するガス圧に耐えるように構成される。第１の筐体２８は、隔壁５０を含む。第１の壁３８は、頂部５２、底部５４、内側面５６、及び外側面５８を含む。側壁４０は、内側面５６に連結し、内側面５６から外に向かって延びる。側壁４０は、頂部６０、底部６２、及び頂部６０と底部６２の間に及ぶ高さＨ１を含む。側壁４２は、内側面５６に連結し、内側面５６から外に向かって延びる。側壁４２は、頂部６４、底部６６、及び頂部６４と底部６６の間に及ぶ高さＨ２を含む。隔壁５０は、内側面５６に連結し、内側面５６から外に向かって延びる。隔壁５０は、頂部６８、底部７０、及び頂部６８と底部７０の間に及ぶ高さＨ３を含む。一実施形態では、隔壁５０の高さＨ３は、高さＨ１及び高さＨ２のうちの少なくとも一方よりも低い。
【００１３】
第１の壁３８及び側壁４０、４２は、アーク領域３４の少なくとも一部を形成する。アーク領域３４は、側壁４０から側壁４２までに及ぶ幅Ｗを有する。隔壁５０は、側壁４０、４２間に配置され、その結果、隔壁５０及び側壁４０が第１のサブアーク領域７２を形成し、隔壁５０及び側壁４２が第２のサブアーク領域７４を形成する。加えて、アーク板領域７６は、隔壁５０の上方に位置する。第１のサブアーク領域７２及び第２のサブアーク領域７４は、アーク板領域７６へと開き、アーク板領域７６と流れ連通する。第１のサブアーク領域７２は、幅Ｗ１を有する。一実施形態では、幅Ｗ１は、アーク領域３４の幅Ｗよりも狭い。第２のサブアーク領域７４は、幅Ｗ２を有する。一実施形態では、幅Ｗ２は、アーク領域３４の幅Ｗよりも狭い。例示的な実施形態では、幅Ｗ１は実質的に幅Ｗ２と同じである。
【００１４】
図４は、アーク板３０の前面図を示す。アーク板３０は、支持部３２（図１に示す）に連結され、アークエネルギーを消すことを容易にする。アーク板３０は、第１の端部７８、第２の端部８０、及び第１の端部７８と第２の端部８０との間に広がる本体部８２を含む。一実施形態では、本体部８２は、例えば、鋼鉄などの電気的導電性材料及び／又は磁性材料から形成され、アークエネルギーを引き付けることを容易にする。
【００１５】
アーク板３０は、第１の凹部８４、第２の凹部８６、及び第３の凹部８８を含み、第１の凹部８４、第２の凹部８６、第３の凹部８８が本体部８２中へと延びる。第１の凹部８４及び第２の凹部８６は、接点２６（図１に示す）の動きを可能にするように構成される。第３の凹部８８は、筐体２８（図３に示す）内にアーク板３０を配置することを容易にするように構成される。一実施形態では、第３の凹部８８を、第１の凹部８４と第２の凹部８６との間に配置する。
【００１６】
第１の凹部８４は、端部９０によって画定され、第２の凹部８６は、端部９２によって画定される。一実施形態では、複数の端部９０を、互いの方に向かって角度を付け、複数の端部９２を、互いの方に向かって角度を付ける。例示的な実施形態では、第１の凹部８４及び第２の凹部８６は、実質的に「Ｖ字」形である。代替実施形態では、第１の凹部８４及び第２の凹部８６は、接点２６の動きを可能にする丸みを帯びた形状などの別の形状を含むが、これに限定されない。
【００１７】
第３の凹部８８は、端部９４によって画定される。例示的な実施形態では、第３の凹部８８は、実質的に「Ｕ字」形であり、隔壁５０の上方にアーク板３０を配置することを可能にするように構成され、その結果、隔壁５０が少なくとも部分的に第３の凹部８８内へ延びる。第３の凹部８８は、筐体２８内にアーク板３０を配置すること可能にする角度を付けた形状などの別の形状を含むことができるが、これに限定されない。一実施形態では、第３の凹部８８は、隔壁５０の頂部６８の形状に対して相補的である。
【００１８】
図５は、複数のアーク板３０に連結された支持部３２の前面斜視図を示す。一実施形態では、電流遮断中に発生したガスの増加した体積を分散させることを容易にするために、支持部３２は、限定されないが、セルロース充填剤入りメラミンホルムアルデヒドなどのガス発生材料で、アルミナ三水和物（ＡＴＨ）を充填したガラスポリエステルで、又はかかる材料から作られる挿入物を設けることによって覆われる。
【００１９】
支持部３２は、アーク板３０を第１の筐体２８（図３に示す）に連結することを容易にするように構成される。支持部３２は、第１の頂部区域９６、第２の頂部区域９８、及び第１の頂部区域９６及び第２の頂部区域９８に連結されたベント区域１００を含む。第１の頂部区域９６は、少なくとも１つのアーク板３０を保持するように構成された第１の側壁１０２を含む。第２の頂部区域９８は、少なくとも１つのアーク板３０を保持するように構成された第２の側壁１０４を含む。一実施形態では、各側壁１０２及び１０４は、アーク板３０に連結するように構成された留め金具１０６を含む。留め金具１０６は、アーク板３０を留め金具に取り外し可能に連結することができるような大きさ及び形状である。
【００２０】
図６は、第１の筐体２８に連結された複数のアーク板３０及び支持部３２の前面斜視図である。説明の目的で、図６は、３つのアークシュートアセンブリ２０を図示する。代替実施形態では、回路遮断器１４（図１に示す）の動作を容易にするために、任意の数のアークシュートアセンブリ２０を使用することができる。一実施形態では、第１の頂部区域９６は、第１の壁頂部５２及び側壁頂部６０に連結され、第２の頂部区域９８は、第１の壁頂部５２及び側壁頂部６４に連結される。例示的な実施形態では、ベント区域１００が、第１の頂部区域９６と第２の頂部区域９８との間に配置される。
【００２１】
一実施形態では、各アーク板３０は、支持部３２に連結され、アーク領域３４内に配置される。例示的な実施形態では、各アーク板第１の端部７８は、筐体側壁４０に隣接した位置で第１の頂部区域９６に連結される。加えて、各アーク板第２の端部８０は、筐体側壁４２に隣接した位置で第２の頂部区域９８に連結される。各アーク板３０は、第１のサブアーク領域７２及び第２のサブアーク領域７４の上方の位置でアーク板領域７６の内部で且つ全面にわたって広がる。第１の凹部８４は、第１のサブアーク領域７２の上方に配置され、第２の凹部８６は、第２のサブアーク領域７４の上方に配置される。さらに、図示したように、各第３の凹部８８は、隔壁５０の上方に配置される。
【００２２】
アーク板３０は、支持部３２内で互いに平行に配置され且つ相互接続される。アーク板３０は、同じ方向に互いに相対的に横方向にオフセットし、個々の凹部８４及び８６によって形成される空洞は、各可動接点２６の半径に従う。図６にさらに図示したように、アークシュートアセンブリ２０は、支持部３２に連結された少なくとも１つの蓋板１０８をさらに含む。蓋板１０８は、支持部３２内でアーク板３０を整列させることを容易にするように構成される。説明の目的で、蓋板１０８を含む２つの例示的なアークシュートアセンブリ２０を示し、１つの例示的なアークシュートアセンブリ２０を、蓋板１０８を取り外した状態で示す。
【００２３】
図７は、３つのアークシュートアセンブリ２０及び接点アセンブリ１８の前面斜視図を示す。代替実施形態では、３つよりも多くの又は少ないアークシュートアセンブリ２０が、回路遮断器１４（図１に示す）の動作を容易にするために使用される。各アークシュートアセンブリは、３相電力分配システムのうちの１相に結び付けられる。より具体的には、第１のサブポール２２及び第２のサブポール２４は、電源１２（図１に示す）から受ける電力のうちの単相に結び付けられる。第１のサブポール２２及び第２のサブポール２４は、筐体２８に連結される。例示的な実施形態では、第１のサブポール２２は、側壁４０に隣接して第１のサブアーク領域７２内に連結され、第２のサブポール２４は、側壁４２に隣接して第２のサブアーク領域７４内に連結される。第１のサブポール２２及び第２のサブポール２４は、それぞれのサブポールアーク領域７２及び７４内で隔壁５０の反対側に配置される。側壁４０、４２及び隔壁５０は、構造的支持のためにサブポール２２及び２４を互いに機械的に結び付けて、過電流負荷条件中に回路遮断器が接点２６を開くように動作する又は「始動する」ときに、サブポール２２及び２４がストレスに抗することを容易にする。第１のサブポール２２の接点２６は、第１の凹部８４内に部分的に配置され、第２のサブポール２４の接点２６は、第２の凹部８６内に配置される。それぞれ個々の凹部８４及び８６によって形成される空洞は、過電流負荷条件中に各可動接点２６の半径に従う。
【００２４】
例示的な動作モード中に、電流は、電源１２（図１に示す）から回路遮断器１４を通って電力負荷１６（図１に示す）へと流れる。過電流負荷条件が生じると、回路遮断器１４は始動して、電源１２と電力負荷１６との間の電流遮断を容易にする。回路遮断器１４を始動させることは、第１のサブポール２２の接点２６を急速に開かせ、アーク板３０の第１の凹部８４によって形成される空洞を介して旋回させ、第２のサブポール２４の接点２６を急速に開かせ、アーク板３０の第２の凹部８６によって形成される空洞を介して旋回させる。接点２６が開くと、電気的アークが発生することがあり、これが、アークによって形成されるガスを通って電流が流れ続けることを可能にすることがある。アークによるガス形成は、アークシュートアセンブリ２０内の圧力を高くする。
【００２５】
隔壁５０は、側壁４０及び側壁４２よりも低く、その結果、アーク板領域７６が側壁４０と側壁４２との間で且つ第１のサブアーク領域７２及び第２のサブアーク領域７４の上方に広がって、従来のアークシュートと比較してアークシュートアセンブリ２０内の体積の増加をもたらす。隔壁５０の高さは、第１のサブアーク領域７２、第２のサブアーク領域７４とアーク板領域７６との間の流れ連通を可能にし、第１のサブアーク領域７２と第２のサブアーク領域７４との間の圧力等化を可能にする。アークシュートアセンブリ２０は、したがって、過電流負荷条件中に接点アセンブリ１８の接点２６が開いたとたんに形成されるガス圧を分散させるように構成される。さらに、アークシュートアセンブリ２０は、過電流負荷条件中に接点アセンブリ１８の接点２６が開いたとたんに形成されるアークを消すことを容易にするように構成される。より詳しくは、アークシュートアセンブリ２０は、第１のサブアーク領域７２及び第２のサブアーク領域７４の一方又は両方からアーク板領域７６及びアーク板３０へとガス流を向けて、アーク冷却及びアークのより急速な終了を促進させ、一方で同時に、アークによって作り出されたガス圧の増加を分散させる。どちらのサブポール２２及び２４がより大きなアークエネルギーを受けるかに拘わらず、筐体２８、３６に対して加えられるガス圧は、第１のサブアーク領域７２とアーク板領域７６との間及び第２のサブアーク領域７４とアーク板領域７６との間の流れ連通のおかげで消散し、低下する。
【００２６】
加えて、隔壁５０が側壁４０及び側壁４２よりも低いので、各アーク板３０は、アーク板領域７６内で且つサブアーク領域７２及び７４の上方の側壁４０と４２との間に広がる。アーク板３０が、側壁４０から側壁４２までで且つ両方のサブアーク領域７２及び７４の上方に広がるので、アーク板３０は、１つのサブアーク領域の上方にだけ広がる従来のアーク板と比較してより大きな表面積を与える。複数のアーク板３０を含むことは、アークを一連の小さなアークへと分割することを容易にし、アークを迅速に散逸させ消滅させる。さらに、冷却効果が、アーク板３０へのアーク付着、アーク板３０の蒸発、及びベント区域１００の外へのガスの放出からもたらされる。
【００２７】
図８は、アークシュートアセンブリ、例えば、アークシュートアセンブリ２０（図１に示す）を製造する方法２１０を図示する例示的な流れ図２００である。方法２１０は、筐体２８、３６（図２に示す）などの１対の筐体を形成するステップ２２０を含む。第１の筐体は、１対の側壁に連結された第１の壁を有し、第２の筐体は、１対の側壁に連結された第２の壁を有する。第１及び第２の壁並びにそれぞれの側壁は、アーク領域を形成する。方法２１０は、筐体内に第１のサブアーク領域、第２のサブアーク領域、及びアーク板領域を形成するために側壁間に、隔壁、例えば、隔壁５０（図３に示す）を配置するステップ２３０をさらに含む。隔壁は、側壁のうちの少なくとも一方の高さよりも低い高さを有し、第１のサブアーク領域及び第２のサブアーク領域は、アーク板領域と流れ連通する。
【００２８】
加えて、アーク板３０（図４に示す）などの複数のアーク板は、筐体に連結され２４０、第１の壁及び第２の壁間で且つ隔壁の上方に広がる。本方法は、アーク板内に第１の凹部、第２の凹部、及び第３の凹部を形成するステップを含む。本法は、回路遮断器の接点が動くための通路を第１の凹部及び第２の凹部が与えるように、アーク板の第１の凹部を第１のサブアーク領域の上方に配置するステップ、及びアーク板の第２の凹部を第２のサブアーク領域の上方に配置するステップをやはり含む。
【００２９】
本明細書において説明した実施形態は、回路遮断器用のアークシュートアセンブリを提供する。アークシュートアセンブリのサイズ設定、形状及び向きは、回路遮断器の障害状態中に発生するアークを消すことによって電流遮断を容易にする。アークシュートアセンブリを、電源モジュールの新製品用に、又は既存の回路遮断器を改造するために使用することができる。一実施形態では、隔壁は、側壁よりも低く、ガス消散用の大容量アーク板領域を形成する。例示的な実施形態では、複数のアーク板は、アーク板領域の全体にわたり且つサブアーク領域の上方に広がり、アーク付着のためにより大きな表面積を与える。
【００３０】
本明細書において説明したアークシュートアセンブリの技術的効果は、アーク板領域がガス膨張及び消散のためにより大きな体積を与えることである。アークシュートアセンブリのさらなる技術的効果は、第１のサブアーク領域及び第２のサブアーク領域がアーク板領域と流れ連通して、第１のサブアーク領域と第２のサブアーク領域との間の圧力等化を可能にすることである。アークシュートアセンブリのもう１つの技術的効果は、アーク板がアーク板領域の全体にわたって広がり、アーク付着のためのより大きな表面積を与えることである。
【００３１】
アークシュートアセンブリ及び製造方法の例示的な実施形態が詳細に上に説明されている。アークシュートアセンブリ及び方法は、本明細書において説明した具体的な実施形態に限定されず、むしろアークシュートアセンブリの構成部品及び／又は方法のステップを、本明細書において説明した他の構成部品及び／又はステップとは無関係に且つ別々に利用することができる。例えば、アークシュートアセンブリ及び方法を、他の電気システム及び方法と組み合わせてやはり使用することができ、本明細書において説明したような電力モジュールだけで実施するようには限定されない。
【００３２】
本発明の様々な実施形態の具体的な特徴を、いくつかの図面において示し、他の図面では示さないことがあるが、これは、利便性のためだけである。本発明の原理によれば、ある図面の任意の特徴を、いずれかの他の図面の任意の特徴と組み合わせて参照及び／又は特許請求することができる。
【００３３】
この明細書は、最良の形態を含む本発明を開示するため、及び任意の層又はシステムを作成することや使用すること、並びに任意の組み込んだ方法を実行することを含む本発明を当業者が実施することをやはり可能にするために例を使用している。本発明の特許可能な範囲は、特許請求の範囲によって規定され、当業者なら思い付く別の例を含むことができる。かかる別の例が特許請求の範囲の文面から逸脱しない構造的要素を有する場合、又はかかる別の例が特許請求の範囲の文面と実質的ではない差異しか有さない等価な構造的要素を含む場合には、かかる別の例は、特許請求の範囲の範囲内であるものとする。
【符号の説明】
【００３４】
１０  電力分配システム
１２  電源
１４  回路遮断器
１６  電力負荷
１８  接点アセンブリ
２０  アークシュートアセンブリ
２２  第１のサブポール
２４  第２のサブポール
２６  接点
２８  第１の筐体
３０  アーク板
３２  支持部
３３  筐体アセンブリ
３４  アーク領域
３６  第２の筐体
３８  第１の壁
４０  側壁
４２  側壁
４４  第２の壁
４６  側壁
４８  側壁
５０  隔壁
５２  第１の壁頂部
５４  底部
５６  内側面
５８  外側面
６０  側壁頂部
６２  底部
６４  側壁頂部
６６  底部
６８  頂部
７０  底部
７２  第１のサブアーク領域
７４  第２のサブアーク領域
７６  アーク板領域
７８  第１の端部
８０  第２の端部
８２  本体部
８４  第１の凹部
８６  第２の凹部
８８  第３の凹部
９０  端部
９２  端部
９４  端部
９６  第１の頂部区域
９８  第２の頂部区域
１００  ベント区域
１０２  第１の側壁
１０４  第２の側壁
１０６  留め金具
１０８  蓋板
２００  流れ図
２１０  アークシュートアセンブリ製造方法
２２０  第１の壁、反対側の第２の壁、並びに第１の壁及び第２の壁に連結された後部壁を有する筐体を形成するステップであって、第１の壁、第２の壁、及び後部壁がアーク領域を形成するように構成される、筐体を形成するステップ
２３０  第１の壁と第２の壁との間に隔壁を形成するステップであって、隔壁が筐体内に第１のサブアーク領域、第２のサブアーク領域、及びアーク板領域を形成するように構成される、隔壁を形成するステップ
２４０  アーク板を筐体に連結するステップであって、アーク板が第１の壁と第２の壁との間で且つ隔壁の上方に広がる本体部を有する、連結するステップ
【図１】
2013149619.tif 000003
【図２】
2013149619.tif 000004
【図３】
2013149619.tif 000005
【図４】
2013149619.tif 000006
【図５】
2013149619.tif 000007
【図６】
2013149619.tif 000008
【図７】
2013149619.tif 000009
【図８】
2013149619.tif 000010